(57)【特許請求の範囲】
【請求項１】
箱体の上縁を形成している縁板部にカップ状突起部を、蓋体の周縁に前記カップ状突起部の外側に嵌合するカップ状突起部をそれぞれ設け、前記カップ状突起部の上方に形成した受板に、下記留め具のバネ脚部が通過する貫通孔を開口し、前記カップ状突起部の上部に下記留め具の基板部を支持する支持面を形成すると共に、この支持面の下方に円筒部を形成し、更に前記貫通孔と貫通孔は平面視において交差状態に配置されており、
前記留め具は、基板部と、その上面に形成したつまみ部と、前記基板部の裏面に前記円筒部の下縁と係合する係合突起を有する突っ張り脚部と、前記基板部の裏面中央部に前記突っ張り脚部より長く延長したバネ脚部を設け、このバネ脚部は柱体と、この柱体の先端に分岐した水平部と、この水平部の先端より前記柱体側に曲げられた弾力部を有し、
前記突っ張り脚部とバネ脚部とは平面視で偏芯αを有し、前記箱体と蓋板を前記留め具で固定する操作においては、前記カップ状突起にカップ状突起を嵌合させ、前記留め具のバネ脚部を前記貫通孔に貫通させて前記弾力部を前記受板の裏面に押圧接触させる操作が含まれていることを特徴とする箱体と蓋体を留め具で固定する閉止構造。
【請求項２】
前記カップ状突起の支持板上に係止用の突起を、前記留め具の基板部に前記突起と係合するストッパーを設けたことを特徴とする請求項１に記載の箱体と蓋体を留め具で固定する閉止構造。
【発明の詳細な説明】
【技術分野】
【０００１】
本発明は、箱あるいは自動車のダッシュボードのような空間に蓋を固定するような場合、あるいは蛍光灯本体より反射板を外して掃除をするような場合に、簡単に蓋や反射板を取り外し、再び固定するような場合に使用する回転式（ツイスト式）留め具に関する。
【背景技術】
【０００２】
例えば、自動車のダッシュボードの下側の開口部に下側カバーを取付けたり、エアコンなどの機器に板を取付けたり、更に、天井に固定された蛍光灯本体に対して反射板を取付けたりする場合は、合成樹脂製の留め具が使用されることが多い。
【０００３】
前記ダッシュボードの下面の開口部よりカバーを外して、内部に取付けられているフイルター等の装備品を交換し、再び下側カバーの取付ける作業をしたり、蛍光灯の反射板を外して掃除をすることがしばしばある。
【０００４】
このような作業を容易に行うためには、カバーや反射板を簡単に取外したり、取付けできる操作性の良い留め具が必要である。この用途に使用される留め具としては、例えば、特許文献１が提案されている。
【先行技術文献】
【特許文献】
【０００５】
【特許文献１】特開２００３−１３９１１３号公報
【発明の概要】
【発明が解決しようとする課題】
【０００６】
特許文献１に記載された留め具は、合成樹脂製の第１部材と第２部材で構成されている。車体パネルなどの板材にあけた孔に第１部材の挿入し、この部材の円板状の基板部と第１部材の先端部の両側に配置されている係止爪部によって板材の両側を挟んで固定し、この第１部材の後端の軸部に、皿形のバネ形状の第２部材を嵌め、この第２部材を回転させて第１部材に連結する構造のものである。
【０００７】
しかし、この留め具は２つの部材で構成されていること、工具を使用して第２部材を回転しなければならず簡単に作業ができないこと、更に精密な部材を2個準備しなければな
らないのでコスト的にも、部品管理上にも問題がある。
【０００８】
そこで本発明は、一つの部品で構成され、工具を使用しないで簡単に着脱でき、しかも振動を受けても緩まない留め具を提供することを目的とする。
【課題を解決するための手段】
【０００９】
本発明に係る箱体と蓋体を留め具で固定する閉止構造は次のように構成されている。
【００１０】
１．箱体８の周縁にカップ状突起部８ａを、蓋体７の周縁に前記カップ状突起部８ａの外側に嵌合するカップ状突起部７ａをそれぞれ設け、前記カップ状突起部８ａの上方に形成した受板８ｂに、下記留め具１のバネ脚部５が通過する貫通孔８ｄを開口し、前記カップ状突起部７ａの上部に下記留め具１の基板部２を支持する支持面７ｃを形成すると共にこの支持面７ｃの下方に円筒部７ｇを形成し、更に前記貫通孔８ｄと貫通孔７ｄは平面視において交差状態に配置されており、
前記留め具１は、基板部２と、その上面に形成したつまみ部３と、前記基板部２の裏面に前記円筒部７ｇの下縁と係合する係合突起４ａを有する突っ張り脚部４と、前記基板部２の裏面中央部に前記突っ張り脚部４より長く延長したバネ脚部５を設け、このバネ脚部５は柱体５ａと、この柱体５ａの先端に分岐した水平部５ｂと、この水平部５ｂの先端より前記柱体５ａ側に曲げられた弾力部５ｃを有し、前記突っ張り脚部４とバネ脚部５とは平面視で偏芯αを有し、
前記箱体８と蓋板７を前記留め具１で固定する操作においては、前記カップ状突起８ａにカップ状突起７ａを嵌合させ、前記留め具１のバネ脚部５を前記貫通孔８ｄに貫通させて前記弾力部５ｃを前記受板８ｂの裏面に押圧接触させる操作が含まれていることを特徴としている。
２．前記カップ状突起７ａの支持板７ｃ上に係止用の突起７ｆを、前記留め具１の基板部２に前記突起７ｆと係合するストッパー２ａを設けたことを特徴としている。
【発明の効果】
【００１１】
第１の板材と第２の板材に貫通孔をあけ、更に第１の板材側の貫通孔の周囲の留め具を固定する場所に、ストッパー用の突起を形成しており、留め具を２枚の板材に貫通させた状態で基板部を所定角度だけ回転し、前記突起で基板部の周縁に形成されたストッパーを固定して留め具の回転を止めることができるので、着脱が簡単でありながら、一旦、固定すると板材などに振動が与えられても、留め具が緩むことがない。
【図面の簡単な説明】
【００１２】
【図１】本発明に係る留め具の平面図である。
【図２】同留め具の正面図である。
【図３】同留め具の側面図である。
【図４】留め具の裏面図である。
【図５】第１の板材に形成したカップ状突起部と留め具を示す平面図である。
【図６】２つの突起部を重ねた部分に留め具を使用した状態を示す平面図である。
【図７】第１の板材のカップ状突起部分の平面図である。
【図８】第２の板材のカップ状突起の裏面図である。
【図９】留め具を回転させて固定状態とした平面図である。
【図１０】留め具と２枚の板材との関係を示す断面図である。
【図１１】図９に対応する留め具の回転状態を示す裏面図である。
【図１２】カップ状突起部の無い板材に留め具を適用した場合の断面図である。
【図１３】蛍光灯本体と反射板と留め具との関係を示す断面図である。
【図１４】遊戯装置の背面図である。
【図１５】遊戯装置の側断面図である。
【図１６】遊戯装置の釘板と液晶表示板との関係を示す断面図である。
【発明を実施するための形態】
【００１３】
次に、図面を参照して本発明の実施例を説明する。
【００１４】
本発明に係る留め具１は、図１〜図４に示すように、略円板形の基板部２の上面に直径方向に設けたつまみ部３と、基板部２の下面に突出して形成された2本の突っ張り脚部４と、この脚部４より更に延長して形成されたバネ脚部５で構成されている。
【００１５】
前記２本の突っ張り脚部４は、後述するように２枚の板材の内の上側の１枚（つまり箱
の蓋：第１の板材）に引っ掛けて留め具１を固定する機能を持っている。次に、この突っ張り脚部４より長いバネ脚部５は、下側の板材（つまり、箱本体の上縁を形成している縁板部：第２の板材）の裏面に位置しており、留め具１を介して第１の板材を第２の板材側に弾性的に引き寄せて閉止する機能を持つものである。
【００１６】
前記バネ脚部５の下部に延長して配置されている水平部５ｂの中心線と、突っ張り脚部４の縁部の線とは僅かに偏芯α（ズレ）して形成されている（図４参照）。このバネ脚部５ｂと突っ張り脚部４との偏芯αによって、バネ脚部５の水平部５ｂが第２の板材８の貫通穴を通過しても、突っ張り脚部４は、蓋（第２の板材）に形成された貫通孔（図８の８ｄ）を通過することが出来なくなり、図６のように突っ張り脚部４の位置が下側のカップ状突起部８ａの受け板８ｂより上に決定されることになるのである。
【００１７】
前記２本の突っ張り脚部４は先端が縮小され（図２）、外向きに鏃形の係合突起４ａが図３、図４に示すように円弧形に形成されている。バネ脚部５は、基板部２の裏面より軸線方向に突出した柱体５ａの先端に、基板部２に平行する水平部５ｂと、この水平部５ｂの先端より柱体５ａに向けて伸びる弾力部５ｃ（バネ部）で構成されている。
【００１８】
そして前記基板部２の外周の直径方向に、それぞれ１個のストッパー２ａが突出して形成されている。なお、このストッパー２ａの形成のために、ストッパー２ａの一方の外形が円形の外周より変形された円弧部２ｂと急激にくぼんだ凹部２ｃが形成されている（図１）。
【００１９】
図７に示す第１の板材７（箱の蓋板）の平面図、図６に示す第２の板材（箱の本体）との係合状態における留め具１との関係（図６）を見ると理解できるように、カップ状突起部８ａの受け板８ｂの下方にバネ脚部５が突出しているが、突っ張り脚部４は受け板８ｂの貫通孔８ｄを通り抜けることができないような位置関係になっている。
【００２０】
なお、バネ脚部５の弾力部５ｃの上面は円弧状に丸められており、２枚の板材７，８の貫通孔７ｄと８ｄとを貫通したバネ脚部５が円滑に回転できるように構成されている。
【００２１】
（具体的な留め具１の使用方法）
次に、箱Ｂ（例えば、部品箱の縁部：第２の板材８）の中に電気機器などの部品を収容し、蓋Ｌ（第１の板材７）を被せ、更に、本発明に係る留め具１で箱Ｂとその開口に蓋Ｌを固定する状態を説明する。
【００２２】
箱Ｂの中に必要な部品が所定の数だけ収容されると、この箱Ｂに蓋Ｌをして両者を固定しなければならない。この箱Ｂと蓋Ｌとには本発明に係る留め具１を使用する場所に図５、図６に示すカップ状突起部７ａ、８ａが膨出成形されており、箱Ｂの開口部に蓋Ｌをすると２つのカップ状突起部７ａ，８ａが嵌合状態となり、両者は正確に位置決めされることになる。
【００２３】
次に、図７に示す第２の板材、つまり蓋Ｌに形成した貫通孔７ｄと図８に示す貫通孔８ｄに留め具１を通す。蓋Ｌの上面側から見た留め具１の状態は図５に示す通りであり、その断面図を図６に示している。
【００２４】
図９、図１０及び図１１は留め具１の固定状態を示すものであるが、留め具１を図５の単なる箱Ｂに蓋Ｌをした状態から、図９にようにつまみ部３を「９０度左回転」するとロック状態となる。
【００２５】
すると、図９、図１０、図１１に示すように留め具１の基板部２の周囲に突出して設けられているストッパー２ａは２個の突起７ｆの間に挟まれ、基板部２が回転しないようになる。
【００２６】
図１０を参照すると、基板部２と、突っ張り脚部４の係合突起４ａとの間にカップ状突起８ａに形成されている円筒部７ｇの上下両縁が挟持され、基板部２の下面と係合突起４の上面との間でカップ状突起７ａの円筒部との係合により、箱Ｂの周縁部（第２の板材８）と蓋Ｌ（第１の板材７）との間が制限的に挟持される（ロック状態）ことになる。
【００２７】
つまり、図５、図６、図８に示した箱Ｂの開口部の蓋Ｌをした状態から、留め具１のつまみ部３を９０度左回転すると、図１１に示すように第２板材８の受け板８ｂの下面にバネ脚部５の水平部５ｂが位置してこの受け板８ｂを押し上げる状態となるのである。
【００２８】
（別の実施例）
図１２は、２枚の板材７Ｘと８Ｘを間隔ｄをあけて支持固定する用途にも利用することができる。この例においては、前記実施例では必要であった「カップ状突起部７ａ、８ａ」を成形する必要がないので、平坦な板材同士を連結（ロック）することが可能となるのである。
【００２９】
この例は、板材７Ｘが蛍光灯の本体側に固定されたブラケット、また、板材８Ｘがその反射板と考えた構成とすることができる。また、板材７Ｘを自動車のダッシュボード、板材８Ｘをダッシュボードの開口部を閉止する蓋板と考えてもよい。
【００３０】
（具体的使用例−１）
図１３は、蛍光灯に本発明に係る留め具１を使用した例を示すもので、蛍光灯本体２０のカバー２１の内部に配置されている蛍光灯取り付け部２２に対して反射板２３を留め具１を使用して着脱可能に固定する例を示している。
【００３１】
反射板２３には留め具１を貫通させる長孔２３ａが明けてあり、留め具１のバネ脚部５を通して取り付け部２２に開口されている孔（図示せず）にバネ脚部５を貫通させ、図１に示すストッパー機構を使用してロック状態とすると、図６〜図８、図９〜図１１の状態につまみ部３を所定角度で回転させることによって、突っ張り脚部４の作用で反射板２３を着脱自在に固定した構造を示している。
【００３２】
（具体的使用例―２）
図１４及び図１５は遊戯装置（パチンコ台）２５の外箱の内部の中央に液晶表示ユニットケース２６が本発明に係る留め具１によって着脱可能に固定されている。このユニットケース２６は、その内部の前面に図１６に示す液晶表示板２７と電子回路を形成した基板２８が配置されている。
【００３３】
前記外箱の前面には図１６に示す釘板２９が配置されており、この釘板２９の中央部に設けた開口より前記液晶表示板２７が覗くように位置決めされている。
【００３４】
なお、基板２８は、遊戯機器においては液晶表示板２７の画面を制御すると共に、「出玉率」などを調整する機能を持つものであるが、この基板に付設されている操作部の調整や定期的にこの基板の交換が必要である。
【００３５】
また、不正調整の有無のチェックなどを定期的に所轄の警察の立会いで行い、その後、前記ユニットケース２６の開口部に図示しない封緘具を適用して不正が出来ないように封緘するようにしている。
【００３６】
前記図１６に示した基板２８とその前面に配置された液晶表示板２７は、遊戯装置２５の中心部と上部の左右２箇所と、更に下部の左右２箇所の合計５箇所など、デザインによって各所に配置され、稼動期間の経過によって液晶表示板を交換してプレーヤーに斬新性を与えるように配慮することができる。
【００３７】
図示しないが、自動車のダッシュボードの下カバーを本発明に係る留め具１で固定することは、２枚の板に小判型の貫通孔（図７、８、１１、１２）を加工しておけば良いので、本発明の実施は極めて簡単に行うことができる。
【００３８】
本発明に係る留め具の機能を簡単に表現すれば、２枚の板材に軸芯を合わせてあけた穴に貫通し、つまみ部を僅かに回転させるだけで、簡単に固定したり、逆回転で外したりすることができ、ドライバーやスパナなどの工具を使用することがないので、操作性に優れている。また、本発明にかかる留め具は、ストッパー機構と、バネ脚部のバネ機構を持っており、振動が与えられても脱落することを防止できるのである。
【産業上の利用可能性】
【００３９】
このように、カップ状突起を形成しない場合は、例えば、たんすの中にネクタイなどの小物を掛ける金具を設けた板を固定したり、別の板と交換する場合などに利用することができる。
【符号の説明】
【００４０】
１  留め具
２  基板部
３  つまみ部
４  突っ張り脚部
５  バネ脚部
５ａ  柱体
５ｂ  水平部
５ｃ  弾力部
７  第１の板材（箱の蓋）
７ａ  カップ状突起部
７ｂ  縁部
７ｃ  受け板
７ｄ  貫通孔
７ｅ  バネ脚部の貫通孔
７ｆ  突起（ストッパー止め）
７ｇ  円筒部
８  第２の板材（箱の周縁部など）
８ａ  カップ状突起部
８ｂ  受け板
８ｃ  凹部
８ｄ  貫通孔
２５  遊戯装置
２６  液晶表示ユニットケース
２７  液晶表示板
２８  基板
２９  釘板
【図１】
0005486234.tif 000002
【図２】
0005486234.tif 000003
【図３】
0005486234.tif 000004
【図４】
0005486234.tif 000005
【図５】
0005486234.tif 000006
【図６】
0005486234.tif 000007
【図７】
0005486234.tif 000008
【図８】
0005486234.tif 000009
【図９】
0005486234.tif 000010
【図１０】
0005486234.tif 000011
【図１１】
0005486234.tif 000012
【図１２】
0005486234.tif 000013
【図１３】
0005486234.tif 000014
【図１４】
0005486234.tif 000015
【図１５】
0005486234.tif 000016
【図１６】
0005486234.tif 000017